(57)【要約】【課題】  単心単位での引き落し或いは切替え、振り分けを可能として、加入伝送路設備の加入区間光ケーブルの使用上の細分化を経済的に行ない、光ケーブルの心線の使用効率を高め、しかも心線の接続作業の簡素化を図り、加入者の散発需要にも簡単に対応でき既存の光ケーブル設備を利用した光アクセスサービスを迅速かつ安価に提供すると共に、単心の運用作業の施工性を大幅に向上させる。【解決手段】  クロージャ１内に分離された単心線の配線収納ができる切替心線用トレイを配備する光ケーブル接続用クロージャであって、切替心線用トレイ４に複数の単心線接続用のＭＵアダプタ８が備えられた単心変換モジユールを配備して一心単位に切替え配線可能な機能を持たせた構成とし、この切替心線用トレイ４をトレイ取付部を介してトレイ固定ベース３に複数重ねた状態で設けると共に、該トレイ固定ベース３に接続トレイ６を設け心線の使用効率および需要変動耐久力を高められる構成とした。【選択図】          図１
2005315905.tif 000002
【特許請求の範囲】
【請求項１】
幹線系光ケーブルを把持する把持部材を備え、該把持部材で保持された幹線系光ケーブルから導出するテープ心線の光ケーブル心線と、多方面に配線されている配線系光ケーブルのテープ心線の光ケーブル心線との心線相互を接続する接続部を収納する接続部収納部と、該接続部に至る心線の心線余長を巻回して収納する心線余長収納部とを有する切替心線用トレイをクロージャ本体内に配備する光ケーブル接続用クロージャであって、前記切替心線用トレイに複数の単心線接続用のアダプタが備えられた単心変換モジュールを配備して一心単位に切替配線可能な機能を持たせた構成とし、この切替心線用トレイをトレイ取付部を介してトレイ固定ベースに複数重ねた状態で設けると共に、該トレイ固定ベースに接続トレイを設けたことを特徴とする光ケーブル接続用クロージャ。
【請求項２】
請求項１に記載の光ケーブル接続用クロージャにおいて、前記切替心線用トレイが、ＦＯモジュールを一対有するもの或いはＦＯモジュールとスプリッタモジュールを有するものからなり、ＦＯトレイを付設した構成としたことを特徴とする光ケーブル接続用クロージャ。
【請求項３】
請求項１または請求項２に記載の光ケーブル接続用クロージャにおいて、前記切替心線用トレイが、両端にＭＵコネクタを備えたジャンパコードによって前記ＦＯモジュールのＭＵアダプタに接続連結される構成としたことを特徴とする光ケーブル接続用クロージャ。
【請求項４】
請求項２または請求項３に記載の光ケーブル接続用クロージャにおいて、前記切替心線用トレイが、ＦＯモジュールとスプリッタモジュールとに各単心線の識別表示部を備えた構成としたことを特徴とする光ケーブル接続用クロージャ。
【請求項５】
請求項２，３または４に記載の光ケーブル接続用クロージャにおいて、前記切替心線用トレイが、前記フレームに設けたトレイ固定ベースに階段状にずらせた多重状態下で水平或いは傾斜保持するように配備されているものであって、該切替心線用トレイを係止片と係止受部とからなる係止部によってトレイ固定ベースに固定維持できる構成としたことを特徴とする光ケーブル接続用クロージャ。
【請求項６】
請求項４または請求項５に記載の光ケーブル接続用クロージャにおいて、前記切替心線用トレイが、トレイ固定ベース内に積層した複数枚のＦＯモジュールを摺動自在に入れ込み構造とし、複数枚の接続トレイと重合して多層個別収納の多心切替心線用トレイとすると共に、各ＦＯモジュールに接続部と心線余長収納部とを備えたことを特徴とする光ケーブル接続用クロージャ。
【請求項７】
請求項４，５または６に記載の光ケーブル接続用クロージャにおいて、前記ＦＯモジュールと、スプリッタモジュールとが積層個別収納トレイであって、トレイにそれぞれ単心線導出入口とテープ線導出入口とを備え、さらに心線止め片を設けて、切替心線の接続収納状態を維持する構成としたことを特徴とする光ケーブル接続用クロージャ。
【請求項８】
請求項４，５，６または７に記載の光ケーブル接続用クロージャにおいて、前記クロージャの幹線系側と配線系側とにそれぞれ前記ＦＯモジュールまたはＦＯモジュールとスプリッタモジュールを隣接併設するか、また各モジュール中間に余長収納部を介在配備し心線を把持できる構成としたことを特徴とする光ケーブル接続用クロージャ。
【発明の詳細な説明】
【技術分野】
【０００１】
本発明は、通信ケーブル、特に光ファイバ心線を有する光ファイバケーブル（以下光ケーブル）の架空区間のアクセス区間において、固定配線区画の配線点やケーブル接続点における外被接続並びに架空光ケーブルと、ドロップ光ファイバケーブル或いは集合ドロップ光ファイバケーブルの接続のために用いられ、光ケーブルの接続部を保護して、心線余長を収納し、心線の使用効率及び需要変動耐久力を最大限に高めるために幹線系光ケーブルと、多方面に配線される配線系光ケーブルを１心単位に自由に配線可能な切替配線機能を持たせた光ケーブル接続用クロージャに関するものである。
【背景技術】
【０００２】
従来、光ケーブルの分岐、引込、接続などを行う場合、クロージャ内においてケーブル心線相互を接続すると共に、該接続部と、ケーブル心線の余長分とを収納するための心線接続余長収納トレイを備えたクロージャが知られている。
このクロージャは、心線幹線用光ケーブルの本線から引き出された光ファイバ心線同士或いは分岐用光ケーブルから引き出された心線とを接続するコネクタ等の接続部が収納され、さらに接続された心線の余長部分を巻回して保護収納する心線余長収納部とを備えたものとして接続機能専用クロージャ或いはドロップ機能専用クロージャとして用いられている。（特開２００１−４２１５５号）
【０００３】
特許文献１の光ケーブル接続用クロージャは、心線用トレイがテープ心線から分岐した単心ごとにコネクタと心線余長とを個別に一括収納できるドロップ心線用トレイに構成され、該心線ドロップ用トレイをクロージャ内に設けたトレイホルダーに挿脱自在に嵌挿したものが開示されている。（特許文献１参照）
【特許文献１】特開２００１−４２１５５号公報
【発明の開示】
【発明が解決しようとする課題】
【０００４】
ところが、光ケーブルを用いた通信網では、光アクセス網の最適な配線形態とすることや、接続配線の作業性の良いこと、さらには切替配線機能の実現が可能で光アクセスサービスを迅速かつ安価に提供することが要請されているのに、単心運用作業が難しく、作業性の点で、また光アクセス系設備の効率的な使用や経済的な使用が十分満足するものがない。特に、ケーブルの高密度、多心化或いは伝送高速度化が進むにつれて心線余長収納部ではその容量が不足しがちになり、接続分岐に伴う作業や配線整理がやりにくいし、さらには増設も簡単には対応できずコンパクト化できないといった問題が生じている。また光ケーブルの分岐作業においては、ドロップ光ファイバを引き落とすためには、例えば、多心テープの光ケーブル本線から４心テープ単位で取り出して、そのうち１心のみを分岐心線に接続して単心に分離しているが、この場合取り出した４心テープは、必要な単心を残して他の３心線は切断してしまうために、余った心線はすべて下部側では使用不能或いは方面別への振り分けが不能となって不経済となるし、心線を再度本線に戻すことも出来ないなど取り扱いも施工性も不便になり、アクセス系設備の効率的かつ経済的な使用ができないなど問題があった。
【０００５】
本発明は、これら従来の事情に鑑みてなされたものであり、光ケーブルの心線の使用効率及び需要変動耐久力を最大限に高めるために、より効率的に光ケーブルを配線、布設、運用するのに単心単位での引き落し或いは切替え、振り分けが可能であり、加入伝送路設備の加入区間光ケーブルの使用上の細分化をも経済的に可能にし、加入者の散発需要に簡単に対応でき、既存の光ケーブル設備を利用した光アクセスサービスを迅速かつ安価に提供できるし、その配線作業の簡素化が図れ、単心線ごとの接続機能と引き落し機能とを統合して整理でき、その収納にも引き落し用心線と通過用心線とを個別に収納、配置できるほか、光ケーブルの伝送特性に悪影響を与えることなく、光ケーブルのドロップ接続や切替え或いは分岐接続作業並びに再収納作業が容易に実施できると共に、架空基線点において、幹線系地下ケーブルから引き上げた引上ケーブルと各方面へ配線されている光ケーブルとを一心単位に自由に切替配線可能な機能を持たせ単心の分離、保護、収納作業に優れたクロージャとすること、しかも作業が容易に実施できて施工性に優れ、単心線ごとの接続機能とドロップ機能とを統合して整理することができるので、その収納並びに心線ごとの増減も簡単にでき増設も楽で、きわめてコンパクトに接続部を収納することができる取扱い簡便な光ケーブル接続用クロージャを安価な形態で提供することを目的とするものである。
【課題を解決するための手段】
【０００６】
上述の課題を解決するために、この発明は、幹線系光ケーブルを把持する把持部材を備え、該把持部材で保持された幹線系光ケーブルから導出するテープ心線の光ケーブル心線と、多方面に振り分け配線されている配線系光ケーブルのテープ心線の光ケーブル心線との心線相互を接続する接続部を収納する接続部収納部と、該接続部に至る心線の心線余長を巻回して収納する心線余長収納部とを有する切替心線用トレイをクロージャ本体内に配備する光ケーブル接続用クロージャであって、前記切替心線用トレイに複数の単心線接続用のアダプタが備えられた単心変換モジュールを配備して一心単位に切替配線可能な機能を持たせた構成とし、この切替心線用トレイをトレイ取付部を介してトレイ固定ベースに複数重ねた状態で設けると共に、該トレイ固定ベースに接続トレイを設けたものである。
【０００７】
この発明は、前記切替心線用トレイが、単心変換モジュールであるＦＯモジュールを一対有するもの或いはＦＯモジュールとスプリッタモジュールを有するものからなり、ＦＯトレイを付設したこと、さらに本発明の光ケーブル接続用クロージャにおいては、前記切替心線用トレイが両端にＭＵコネクタを備えたジャンパコードによって前記ＦＯモジュールのＭＵアダプタに接続連結される構成としたことにより、上部側テープと下部側テープを単心単位で容易にジャンパリングでき増設作業の簡便化を可能とした。
【０００８】
さらに、本発明では、前記切替心線用トレイが、ＦＯモジュールとスプリッタモジュールに各単心線の識別表示部として記号表示、色彩区画もしくは２次元バーコードなどを備えた構成としたことで、現場で配線状況がすぐ判別できるようにしてある。
【０００９】
また、本発明では、前記切替心線用トレイが、前記フレームに設けたトレイ固定ベースに階段状にずらせた多重状態下で水平或いは傾斜保持するように配備されているものであって、該切替心線用トレイを係止片と係止受部とからなる係止部によってトレイ固定ベースに固定維持できる構成としたことを特徴とする。
【００１０】
また、本発明では、前記切替心線用トレイが、トレイ固定ベース内に積層した複数枚のＦＯモジュールを摺動自在に入れ込み構造とし、複数枚の接続トレイと重合して多層個別収納の多心線切替心線用トレイとすると共に、各ＦＯモジュールに接続部と心線余長収納部とを備えたことをも特徴としている。
本発明の光ケーブル接続用クロージャにおいては、前記ＦＯモジュールと、スプリッタモジュールとが積層個別収納トレイであって、トレイにそれぞれ単心線導出入口とテープ線導出入口とを備え、さらに心線止め片を設けて切替心線の接続収納状態を維持する構成とした。
【００１１】
さらにまた本発明は、前記クロージャの幹線系側と配線系側とにそれぞれ前記ＦＯモジュールを一対またはＦＯモジュールとスプリッタモジュールを隣接併設するか、また各モジュール中間に余長収納部を介在配備し心線を把持できる構成とすることもでき、光ケーブル心線の接続部並びに接続余長部分を保護収納する切替心線用トレイを着脱自在にトレイ固定ベースに複数設けると共に、該トレイ固定ベースをクロージャ本体内に設けたフレームに固定しているので、各トレイを位置変換して配線処理でき、光需要に際して任意のクロージャにて本線から必要な単心線のみを引き落したり、本線に戻したりする切替配線が容易にできる。
すなわち、多心光ファイバテープ心線から光ファイバ単心線に分離して１心線のみ又はそれ以上を選んでＦＯモジュールによって引き落しケーブルに接続して、他はＦ０トレイに引き通し光ファイバ単心線として下部に送り込めるように保有しておくことが可能となる。また接続作業に必要な余長心線は、任意の切替心線用トレイを開いて、或いは取り出したりして接続部と共に収納しておく。
そして、空いている心線はその後のユーザーの加入など必要な単心線として使用することができ、単心に分離した心線の保護とが簡易にすることができ、そのほか他の心線の接続作業や接続状況の点検、補修、確認、調整など作業をも統合してきわめて容易に整理して行うことができる。
【００１２】
また、切替心線用トレイは、多段で水平配備或いは斜設配備していて、接続単位で複層化したもので、心線接続部は固定し、心線余長も曲率半径を確保した上で取り回し収納できるので、心線余長の吸収に自由度を持たせて納められ、伝送特性に悪影響を及ぼすことがない。
しかも、前記切替心線用トレイが、両端にＭＵコネクタを備えたジャンパコードによって単心変換モジュールとしての前記ＦＯモジュールのＭＵアダプタに接続連結される構成としたことで、既設接続トレイのテープ単位の切替えが可能であり、分岐後の全心線を各方面別へ振り分けができ、またＦＯトレイが、前記フレームに固定ベースを介して摺動自在に備えられるものであって、開き方向に所定の傾斜角度をつけて保持できる構成としてあることで、単心切替作業スペースより移動回避させて、作業時での導線が見やすく配線作業をも容易で迅速に処理することができ、また単心線を安全に保護することができるし、各トレイを自由に取付位置可能で心線の引き落としができるので、架空ループ配線にも対応可能であり、また心線接続後に切替心線用トレイを移動させて、元の位置に戻しても光ケーブル心線に弛みが生じないし、心線に過度に屈曲することがなく曲率半径の小さい円弧状部分をも生じないで収納でき安全な保護ができるし、任意心線の取り出し、接続、再収納作業に対するハンドリング特性の向上が図れ、単心運用のため分離、保護、収納作業にも優れた機能を発揮できる。
【００１３】
さらに、分離心線と分岐心線並びにその接続部を収納するトレイの集合体となる収納トレイが、取り外しと外れ防止機能のあるトレイ取付部に挿し込むことで隣接されるトレイと容易に連結でき、またフレームから外して開閉することにより連結した各トレイを別個に開放露出することができ、接続作業や各トレイの更新並びに増設作業も容易にできる形態で用いられる。
【発明の効果】
【００１４】
本発明は、切替心線用トレイに複数の単心線接続用のアダプタが備えられた単心変換モジュールを配備して一心単位に自由に切替配線可能な機能をもたせた構成からなり、この切替心線用トレイをトレイ取付部を介してトレイ固定ベースに複数重ねて配備したことで、心線接続作業性が著しく簡易、良好で、ケーブルの切替え配線処理も楽にできるので、光需要に際して任意のクロージャにて本線から必要な単心線のみを引き落したり切替え変換して本線に戻したりすることが容易にでき、多心光ファイバテープ心線から光ファイバ単心線に分離して１心線のみ或いはそれ以上を選んで引き落し光ケーブルに接続或いは切替えして、他は引き通し光ファイバ単心線として下部に送り込めるように保有しておくことが可能となり、心線の使用効率および需要変動耐久力を大幅に高められる。また、接続作業に必要な余長心線は、任意の切替心線用トレイを開いて、或いは取り出したりして接続部と共に収納しておけ、空いている心線はその後のユーザーの加入など必要な単心線として安全に用いることができる。
【００１５】
また、本発明によれば、前記切替心線用トレイが、ＦＯモジュールを一対有するもの或いはＦＯモジュールとスプリッタモジュールを有するものからなり、ＦＯトレイを付設した構成とし、両端にＭＵコネクタを備えたジャンパコードによって前記ＦＯモジュールのＭＵアダプタに接続連結される単心変換モジュール構成としたことにより、単心分離作業時での導線が見やすく配線作業を容易で迅速に処理することができ、また、単心線を安全に保護することができるし、各切替心線用トレイを自由に取付け位置可能で、心線の引き落しや切替えができるので、架空ループ配線にも容易に対応可能であると共に、一旦分岐した心線を再度本線に戻すこともできるなど、単心の切替、保護、収納作業を大幅に向上できる。
【００１６】
さらに、本発明によれば、架空基線点において、幹線系地下ケーブルからの引き上げケーブルと各方面へ振り分け配線されている光ケーブルを一心単位に自由に切替配線可能な機能を持たせることで、配線作業が容易に実施でき、その施工性にすぐれ、単心線ごとの接続機能と、ドロップ機能とを統合して整理収納並びに心線ごとの増減も簡単で、増設も楽で極めてコンパクトに接続部を収納することができるなど、取扱い簡便な架空或いは地上載置用の光ケーブル接続用クロージャとすることができる。しかも、複数枚重ねられたトレイは、光ケーブルの伝送特性に悪影響を与えることなく光ケーブルの接続や切替え或いは分岐接続作業や再収集作業が容易に実施でき、心線接続作業後に、任意のトレイを開いて収納されている光ファイバ心線を迅速に取り出すことができ、心線識別も容易で、接続部の再調整や修理など簡単におこなうことができ、その作業性を大幅に向上することができる。
【００１７】
また本発明によれば、トレイ固定ベースに多重状態下で水平保持或いは傾斜保持するように配備されているものであって、切替心線用トレイを係止片と係止受部とからなる係止部によってトレイ固定ベースに固定維持できる構成としたことにより、心線余長の収納が納まりよくできるし、心線の巻回収納にも余裕があり、しかも心線の保持も緩衝的に行なわれるので、心線に弛みが生じないし、各トレイを展開しても収納した光ファイバ心線の余長部の長さの変化が少なく、光ファイバ心線に無理な屈曲や小円弧が発生することなく、光損失をなくして伝送特性を良好に保つことができるほか、心線の分岐、引き込みの際に接続用トレイへの心線導出入の自由度があって作業上、心線接続部へのアクセスが簡便化でき、管理や組立分解作業も容易に行え、かつ高密度・高信頼性が得られる。殊に接続したい空き単心線とドロップ心線とを接続して残りは現用又は空き心線として下部に送り込めるように保有しておくことが可能になるし、また空いている心線は、その後のユーザー加入など必要な単心線として使用することができ、かつ単心に分離した心線の保護とも簡易にすることができ、そのほか他の心線の接続作業や接続状況の点検、補修、確認、調整など作業をも統合して、きわめて容易に行うことができる。
【００１８】
さらにまた、本発明では、切替心線用トレイがトレイ固定ベース内に積層した複数枚のＦＯモジュールを摺動自在に入れ込み構造とし、複数枚の接続トレイと重合して多層個別収納の多心切替心線用トレイとすると共に、各ＦＯモジュールに接続部と心線余長収納部とを備えたことにより、各トレイ内において接続部は固定し、心線余長も曲率半径を確保した上で取り回し収納できるので、伝送特性に悪影響を及ぼすことがないし、任意心線の取り出して、接続、再収納作業に対するハンドリング特性の向上が図れ、単心運用のための切替、保護、収納作業にも優れた機能を発揮でき、クロージャとして安全性を大幅に高め、心線余長収納での高信頼性が得られるし、必要なだけ多段に積み重ねた各トレイが外れたり、ずれたりすることもなく、簡単確実に結合されて、識別容易な心線接続部を持ったクロージャとして安全性、作業性を大幅に高め、心線余長収納での高信頼性が得られるし、収納トレイ相互間わ脱着でき取扱いも著しく容易化でき、かつクロージャのコンパクト化が図れる。
【００１９】
また、本発明では、クロージャの幹線系側と配線系側とにそれぞれ前記ＦＯモジュールまたはＦＯモジュールとスプリッタモジュールを隣接併設するか、また各モジュール中間に余長収納部を介在配備し心線を把持できる構成としたことにより、分岐心線後の全新線を各方面別の振り分けが可能であり、各モジュールの単心線にが簡単に抜けないように把持できると共に、心線を含む接続部把持作業が安全で容易に行え、作業性も大幅に向上することができる。
【発明を実施するための最良の形態】
【００２０】
本発明の実施例を図面を用いて説明すると、図１〜図８の実施例では、図１ａに示すように、上部側光ケーブルＡをＭＴコネクタＢを介して切替心線用トレイ４内のＦＯモジュール４１  と、多方面に別れる下部側光ケーブルＡ１  に接続されるＭＴコネクタＢ１  を介して接続されるスプリッタモジュール４２  との間に、両端にＭＵコネクタ９のあるジャンパコード１０によって、各ＦＯモジュール４１  ，スプリッタモジュール４２  に備えたＭＵアダプタ８にそれぞれ接続連結し単心運用のための切替作業を簡易に行なうが、図１ｂに示す心線接続クロージャ１には、切替心線用トレイ４が複数組例えば４段で複数重ねた状態でフレーム２にトレイ固定ベース３を介して内装配備されている。
このフレーム２には、心線引き通し部としてのＦＯトレイ５と、心線保留部としての複数組の接続トレイ６、例えば２段で重ねた状態で接続トレイ６とがそれぞれ上下位置に設けられ、その間に配置される切替心線用トレイ４は、複数重ねた状態で摺動可能でかつ着脱自在にトレイ固定ベース３に水平状態で配備されている。
【００２１】
前記切替心線用トレイ４としては、前記フレーム２に設けたトレイ固定ベース３に上下に多重状態下で水平保持するように配備されているものであって、該切替心線用トレイ４を係止片と係止受部とからなる係止部１４によってトレイストッパを兼ねたトレイ固定ベース３に係脱自在に設けられている。（図２〜４）
そしてこの切替心線用トレイ４は、図３〜図４のようなＦＯモジュール４１  を有するもの或いはＦＯモジュール４１  とスプリッタ１３を入れたスプリッタモジュール４２  とを有するものを、図５に示すＦＯモジール取付部７に着脱自在に備えているが、該ＦＯモジュール４１  或いはスプリッタモジュール４２  とに接続部となるＭＵアダプタ８を多数並列して設け、図６に示すような両端にＭＵコネクタ９を備えたジャンパコード１０によって前記ＦＯモジュール４１  のＭＵアダプタ８の一つに選んで接続連結される構成としてある。
このＦＯモジュール４１  および／またはスプリッタモジュール４２  が、複数枚積層した状態で前記トレイ固定ベース３内に摺動自在の入れ込み構造とされ、複数枚の接続トレイ６と重合して多層個別収納の多心切替心線用トレイとすると共に、各ＦＯモジュール４１  とスプリッタモジュール４２  に心線余長収納部１１を備えてある。この場合、前記スプリッタ１３を収納の時はスプリッタモジュール４２  のＵＭアダプタ８の１ポートにジャンバコード１０のＭＵコネクタ９が接続される。
【００２２】
また、前記ＦＯモジュール４１  とスプリッタモジュール４２  には、各単心線の識別表示部１２として記号表示、色彩区画もしくは２次元バーコードなどを備えた構成としたことで、現場で配線状況がすぐ判別できるようにしてあり、各トレイにそれぞれ単心線導出入口とテープ線導出入口とを備え、さらに心線止め１５および押え片１６とスプリッタ収納部１７を設けて、ドロップ心線の接続収納状態を維持する構成としてある。
【００２３】
さらに、前記ＦＯモジール取付部７には、各モジュール４１  ，４２  を入れ込み式に多重状態で保持するために、前記係止部１４のほかにスライド部１８のあるベース凸部１９および差込片２０を備えていて、モジュールの着脱自在を簡便化するようにしてあり、底部に余長収納部７１  が形成され、また両端部にピン止め用の貫通孔４２  を備えていて上下に多重状態に取付け棚部３１  に配置されたときに、該貫通孔４２  に上からピンを挿通して固定できるようになっている。
さらに、前記ＦＯモジール取付部７は、前記トレイ固定ベース３に配備されている取付け棚部３１  に摺動自在に配備されるものであって、係止片と係止受部とからなる係止部２１によってストッパを兼ねて所定位置に位置決め定着される。
【００２４】
前記ＦＯトレイ５は、前記切替心線用トレイ４から離して前記フレーム２に備えられるものであって、蓋５１  が前に開くケースに形成し、ケース内には心線余長を案内するガイドリブ５２  、心線押え片５  ３および接続部収納部５４  を区画配備して、心線の引き通し部として用いられ、蓋５１  を開き方向に所定の傾斜角度、例えば４０度以上の角度をつけて上側に回動して開くことができる構成としてある。（図７）
また、前記接続トレイ６としては、複数枚重合して前記トレイ固定ベース３に前記切替心線用トレイ４と共に、前記取付け棚部３に入れ込み構造で配備されるが、トレイ両端に心線口６  ３を有し、トレイ内部の心線余長収納部６１  に心線押え片６２  を適宜区画して備え、心線余長を必要に応じ引回し収納保持できるようにしてある。（図８）
この接続トレイ６のトレイ外側面には、差込部２２及び係止部２３のほかにピン若しくはフック等のバンド止め用の突片２４を突設して位置決めされて取付け棚部３に安全に保持されるようになっている。
【００２５】
また、図９〜図１５の実施例では、上部側光ケーブルＡと下部側光ケーブルＡ１  とをＭＴコネクタＢ，Ｂ１  を介して接続するのに、クロージャ１内の両端部にＦＯモジュール４１  またはスプリッタ１３を入れたスプリッタモジュール４３  を有するものを着脱自在に備えていて、ＦＯモジュール４１  或いはスプリッタモジュール４２  とに接続部としてＭＵアダプタ８のポートを多数並列して設け、両端にＭＵコネクタ９を備えたジャンパコード１０によって前記ＦＯモジュール４１  のＭＵアダプタ８の一つのポートに選んで接続連結されると共に、スプリッタモジュール４２  で分離心線も同様にジャンパコード１０によって、前記ＦＯモジュール４１  のＭＵアダプタ８に接続できる構成としたものを単心変換モジュールとして用いてある。（図９ａ）
【００２６】
図９ｂに示すように、クロージャ１内では、前記スプリッタモジュール４２  間の中央部に心線余長収納部２５を空間領域として形成してあリ、前記モジュールを含むドロップ心線用トレイ４の複数枚を斜設取付け棚部２６に配備し、ＭＵアダプタ８にジャンパコード１０のＭＵコネクタ９を接続連結して適宜心線の切替え使用ができるようにしてある。
この場合、前記ＦＯトレイ５としては、心線余長を巻回して収納する心線余長収納部のあるトレイを心線引き通し部として配備してあって、さらに接続トレイ６としてトレイ固定ベース３に複数の接続トレイ６を前例と同様に重合配備してある。
【００２７】
また、前記切替心線用トレイ４を構成するＦＯモジュール４１  或いはスプリッタモジュール４２  は、図１１乃至図１２に示すように８心一括収納タイプとしたもので、光ファイバ心線を導出入する心線導出入部に心線止め１５を備えると共に、スプリッタ１３が収納保持されるスプリッタ収納部１７と、前記ＭＵアダプタ８から導出される心線に余長を引き廻してループ状に巻回させて保持する心線余長収納部１１とを区画して備える。
【００２８】
さらに、この切替心線用トレイ４は、モジュール取付部７を有するＦＯモジュールベースからなり、該モジュール取付部７にＦＯモジュール４１  或いはスプリッタモジュール４２  の単心変換モジュールを着脱自在に設けたものから構成される。このＦＯモジュール４１  或いはスプリッタモジュール４２  は、ジャンパーコード１０のＭＵコネクタ９が接続保持されるＭＵアダプタ８と、多方面に配線される配線系光ケーブルに接続されるスプリッタ１３またはその他の分岐心線分離部とが収納保持されるスプリッタ収納部１７と、前記ＭＵアダプタ８から導出される心線余長を引き廻し、ループ状に巻回させて保持する心線余長収納部１１とを区画して備えており、環状ガイドリブ１７１  と心線止め１５と心線押え片１６のある略Ｌ字形のトレイを用いてある。
この場合、前記クロージャ１内に固着したフレーム２に多段に重合できるトレイ固定ベース３を設け、該トレイ固定ベース３に複数段ある差し込み棚部に前記ＦＯモジュール４１  或いはスプリッタモジュール４２  を着脱自在に装着する切替心線用トレイ４および接続トレイ６をそれぞれ取り付け多重状態下で傾斜保持するように備えて、トレイが心線取出方向を側面にする方向で装着され、心線接続部と心線余長とを一括収納できる構成とすると共に、各トレイを引き出してあけて配線作業が容易にできるようにしてある。
【００２９】
例えば、図１の図示のようにＡＯクロージャにおいて、６段のトレイ取付部の場合には、上段の４段に切替心線用トレイ４を配備し、その下段の２段に接続トレイ６を備える。
またこの切替心線用トレイ４でのＦＯモジュール４１  或いはスプリッタモジュール４２  は、多層トレイとして積層して用いられているので、トレイ固定ベース３の上側から使用していき、テープ接続２００心収納のときになど適宜選んで上段から下段に使用でき、または下段から上段に向けて各段を有効利用することもでき、テープ接続心の数量に対応して各トレイを装着ができる。
【００３０】
なお、複数の前記切替心線用トレイ４をトレイ固定ベース３に着脱自在とするには、単独または前後方向を交互に逆に段積装着した積層収納した心線トレイとして用いることもできるし、前記トレイ固定ベース３の両側対称位置に備えればよく、該トレイをクロージャ１の形態では前後いずれの方向でも着脱自在に装着できる構成とすることもでき、さらにクロージャ１内でのドロップ心線用トレイ４をトレイ固定ベース３からスライダ（図示せず）によって引き出し移動位置させて心線接続作業が簡便にできることが配慮できる。
【００３１】
さらに、各トレイ若しくはモジュールにおいては、前記接続部或いはスプリッタ収納部及び心線余長収納部は、必要に応じガイドリブ及び側壁を選んで区画してもよいし、心線の浮きを阻止する心線押え片或いは係止爪を一体成形して、余長の心線や心線接続部となるコネクタを各トレイ内に確実に保持できるようにするか、また接続部収納部或いは心線余長収納部のみを区画したトレイを組合せて一つとした形態としてもよく、各トレイ毎に心線を分離整理収納し、ケーブル挿入部からファイバ心線の曲げが極少で心線収納時のねじれをも防止でき、安全かつ高密度収納で高信頼性が得られるようにすることが配慮される。
【００３２】
なお、単心変換モジュールとなる前記モジュール４１  ，４２  では、ケーブル心線の導出入部は、片側に設けたシングルタイプに限らず両側に対に設け、即ち四隅に設けたダブルタイプのものを用いることもできるし、トレイを略正方形、長方形の四角形または楕円形に形成されるので、接続部収納部およびスプリッタ収納部１７に隣接される心線余長収納部１１には、所定間隔に配列される心線は心線押え片１６で伝送特性に悪影響が及ばないように、心線がなめらかに湾曲したループ状に巻回保持できるように配慮してある。例えば、前記ＦＯモジール４１  および／またはスプリッタモジュール４２  を含む切替心線用トレイ４には曲率半径３０ｍｍ以上を確保して心線の取り回して収納ができ、トレイ固定ベース３に４段積層し、各トレイ単位で脱着可能に設け、心線余長と心線接続部を一括収納できる。
【００３３】
前記切替心線用トレイ４は、複数重ね合わせてトレイ固定ベース３に傾斜方向に保持され、クロージャ１内の体積をコンパクト化した状態で使用できるが、水平方向に保持してもよくいずれにしてもヒンジ締結具（図示せず）により脱着自在に定着する二つ割りのスリーブからなる円筒状のクロージャ１内に組み込まれて用いられ、フレーム２にはトレイ受けとなる棚部２６、ケーブル把持具２７と、ドロップケーブル把持具２８、テンションメンバ把持具２９，３０とを備え、前記クロージャ１の外側に配置固定できる配線リング３４を備えている。
【００３４】
前記配線系光ケーブルの下部側光ケーブルＡ１  によって、多方面に引き落し分岐配線するには、両端前記クロージャ１のスリーブの両端壁嵌合部に嵌装された端面板３１とを備えたクロージャ１の例で説明すると、端面板３１にスペーサ（図示せず）を介して、主幹線光ケーブルＡおよび支持線Ｃが貫通されてケーブル把持具２７、支持線把持具３２でそれぞれ固定され、かつ、該光ケーブルのテンションメンバが、テンションメンバ把持具２９，３０に接続連結されている。
また、主幹線光ケーブルの上部側光ケーブルＡから導出されたテープ心線は、前記切替心線用トレイ４に処理されて端面板３１から導出されて引き落し分岐ケーブルの下部側光ケーブルＡ１  として配線される。（図１および図９）
前記スペーサには、下部側光ケーブルＡ１  の挿通用の閉塞孔を多数備え、引落し時に閉塞孔を開口して下部側光ケーブルＡ１  をクロージャ外に導出入できるようにしてある。さらに、前記クロージャ１は、分割接合面にガスケットを介在して突き合わせ密封結合するが、スリーブ外側に設けたヒンジ部にループ状リングからなるヒンジ締結具によって掛止めて連結一体化するようになっている。
【００３５】
なお、前記ＦＯモジュール４１  やスプリッタモジュール４１  などの各トレイは、モジュール取付部７に積み重ねられたときに、該モジュール取付部７に係合され必要に応じ支持バンドなどでフレーム２に連結固定保持して用いてもよいし、上下段ごとに連結ボスを嵌装して連結する形態とすることもでき、単段或いは複数段に前記クロージャ１内に設けた取付棚３１  に挿脱自在に嵌装してある。
【００３６】
この場合、前記ＦＯモジュール４１  やスプリッタモジュール４２  とするには、４心又は８心テープを単心分離し、または分離心線を使用して単心線にＴＭコネクタＢ，Ｂ１  を介して引き落し光ファイバ単心線を接続したり或いは、スプリッタ１３介して変換した８心インドアケーブルの接続部及び心線余長を収納するケースとすることもできるが、各切替心線用トレイ４は、図１ａ及び図９ａに示すように、心線の取り回し配線イメージとしては、スプリッタ１３の使用時には多心光ファイバテープ心線を光ファイバ単心線として分離し、引き通し光ファイバ単心線と、引き落し光ファイバ単心線とに分岐し、引き落し光ファイバ単心線は、接続部を経てスプリッタ１３に接続し心線余長を含んでスプリッタモジュール４２  に収納し、スプリッタ１３からの出側テープ心線は単心線に分離されて心線余長とともにスプリッタモジュール４２  に収納し、さらに出側単心線を接続部を介してドロップケーブルとしての下部側光ケーブルＡ１  に接続し、切替心線用トレイ４に心線余長を含んで収納して配線する。
また、スプリッタ１３の未使用時には図３或いは図１２ａの如く、多心光ファイバテープ心線を光ファイバ単心線として分離し、引き通し光ファイバ単心線と、引き落し光ファイバ単心線とに分岐し、引き落し光ファイバ単心線は、ＭＵアダプタ８を経て下部側光ケーブルＡ１  とし、心線余長と共に切替心線用トレイ４に収納して配線することでたりる。
【００３７】
なお、各ＦＯモジュール４１  やスプリッタモジュール４２  には、心線の曲率半径円を環状或いはＳ字状に切り返し配線できるように楕円筒状のガイドリブをトレイ底面上に突設配備した構成としてある。また、前記積み重ねトレイには、その両接合面に係合凹凸部と、心線止め１５を直接或いはベース（図示せず）を介して突設し、配線並びに心線接続作業が簡便にできるようにしてある。
【００３８】
また、これらＦＯモジュール４１  とスプリッタモジュール４２  には、各単心線を識別するように記号表示、色彩区画もしくは２次元バーコードなどの識別表示部１２を備えた構成として、ジャンパコード１０を切替え使用する際に、現場で配線状況がすぐ判別できるようにするのが好ましい。
さらにＦＯモジュール４１  ，スプリッタモジュール４２  は、心線止め１５、例えば上から押しつける着脱自在のホルダーや心線を挟持する弾性部材が備えられ、各モジュール移動時に光ファイバケーブルの捩れ防止に役立て、光ファイバケーブルの移動の際に追ずい誘導をスムーズにできるように支持する構成となっている。
【００３９】
スプリッタ処理を行う際には、前記切替心線用トレイ４においてスプリッタモジュール４２  を用いればよく、光ケーブル心線とスプリッタ１３および、スプリッタと単心線との接続ができるようにしたり、スプリッタ出線の処理までを各トレイで対応するようにすることが望ましい。
いずれにしても、前記ＦＯモジュール４１  とスプリッタモジュール４２  は、モジュール取付部７を介して多段状のトレイ固定ベース３に保持され、図１或いは図９に示すように二つ割りのスリーブからなる円筒状のクロージャ１内に組み込まれて用いられ、該クロージャ１内では、適宜配線するが、必要に応じ配線処理ガイド（図示せず）によりテープ心線とドロップ心線との動きを分離させるのがよい。
【００４０】
以上の構成からなる切替心線用トレイ４内のＦＯモジュール４１  或いはスプリッタモジュール４２  と、多方面に別れる下部側光ケーブルＡ１  に接続されるＭＴコネクタＢ１  を介して接続されるＦＯモジュール４１  との間に、両端にＭＵコネクタ９のあるジャンパコード１０によって、各ＦＯモジュール４１  のＭＵアダプタ８に接続連結し単心運用のための切替作業を簡易に行なう切替心線用トレイ４となっているので、光ファイバケーブルを加入者宅等に引き落とす際に、ＦＯモジュール４１  に上部側光ケーブルＡのテープ心線を単心線に分離したうち選ばれた引き落し光ファイバ単心線はＭＴコネクタＢを連結し、該ＭＴコネクタＢを介してＦＯモジュール４１  のＭＵアダプタ８に接続されているＭＴコネクタＢに連結し、ＭＵコネクタ９のあるジャンパコード１０によって切替心線用トレイ４のいずれか一方のＭＵアダプタ８に接続されることで、切替心線用トレイ４から出る多方面の下部側光ケーブルＡ１  接続される。
この下部側光ケーブルＡ１  は、ＭＴコネクタＢ１  を介してＦＯモジュール４１  に接続されていて、前記ＭＵコネクタ９のあるジャンパコード１０によってＭＵアダプタ８に接続されることで、単心ごとの切替作業を簡易に行なうことができる。
【００４１】
以上のように、切替心線用トレイ４のＦＯモジュール４１  或いはスプリッタモジュール４２  のいずれかにジャンパコード１０によって接続することで、心線の曲率を小さくすることなく（過負荷を加えることなく）、ＭＵアダプタ８を自由に選んで、多方面の配線に切替えることができ、一心単位に自由に切替配線可能な機能をもたせた構成となって、この切替心線用トレイ４をトレイ取付部を介してトレイ固定ベース３に複数重ねて配備したことで、心線接続作業性が著しく簡易、良好で、ケーブルの切替え配線処理も楽にできるので、光需要に際して任意のクロージャにて本線から必要な単心線のみを引き落としたり切替え変換して本線に戻したりすることが容易にでき、光ケーブル用クロージャ内での単心線の配線の便宜を図ることができる。
【００４２】
そして、前記切替心線用トレイ４は、光ケーブル用クロージャ１内のフレーム２にあるトレイ固定ベース３に挿入し順次積み重ねられるようにして実装される。この積み重ねには、ＦＯモジュール４１  がモジュール取付部７で固定化され、重なり合う心線接続収納トレイ同士をネジ止め等することなく積層連結することができ、高密度収納構造の心線接続クロージャ１とすることができる。
【００４３】
なお、前記心線接続クロージャ１にあるフレーム２には、トレイ固定ベース３を介して切替心線用トレイ４が棚部２６に内装配備されているが、図９の例の切替心線用トレイ４が斜設配備される形態では、クロージャ１のコンパクト化のために、図１０〜図１５のように、上部側と下部側とに空間領域を隔てて棚部２６をスタンド３５を介して備え、この空間領域を心線余長収納部２５としあり、さらにこのフレーム２には、心線引き通し部としてのＦＯトレイ５と、心線保留部としての複数組の接続トレイ６とが、例えば２段で重ねた状態で接続トレイ６とがそれぞれ上下位置に設けられる。
また、前記ＦＯトレイ５を載置し、摺動自在に案内するガイドに後方に湾曲ガイド３３を付設してあると、そのＦＯトレイ５を押すことで前記湾曲ガイド３３にスライドし、さらに押すことでＦＯトレイ５を所定角度上側に水平状態から傾斜状態に変位して開くことができ、単心分離作業スペースより移動回避させて、単心分離作業時での心線が見やすく配線作業を容易で迅速に処理することができ、また単心線を安全に保護することができるし、各トレイを自由に取付可能で心線の引き落としができるので、架空ループ配線にも対応可能であり、また心線接続後に前記切替心線用トレイ４を移動させて、元の位置に戻しても光ケーブル心線に弛みが生じないし、心線に過度に屈曲することがなく曲率半径の小さい円弧状部分をも生じないで収納でき安全な保護ができる。
【００４４】
さらに分離心線使用の際には、架空き線点において幹線系地下ケーブルからの引き上げケーブルと、各方面ケーブルヘ配線されている光ケーブルを単心変換モジュールを用いて一心単位に自由に配線可能で、上部側光ケーブルＡと下部側光ケーブルＡ１  とを単心単位で簡易にジャンパコード１０によってシャンパリングできるので、施工性がよく低コストな物品構成で切替配線機能が達成でき、各単心は必要に応じ弾性部材で固定され、各切替心線用トレイ４に分岐され、それぞれのトレイに整理配線されて収納され、ドロップテンションメンバ把持具に固定された状態でクロージャ１内に保護されて用いられる。
【００４５】
積み重ねた各切替心線用トレイ４は、それぞれ個別にトレイ固定ベース３から前方にスライド可能で、引き出されたトレイの各層を所定の角度で開いて配線でき、閉じてから固定化できる構造としてあって、各トレイの出し入れや各層を開閉することによってトレイ内に収納された心線に損失などの影響が生ずることなく任意のトレイを取り出すことができる。
【００４６】
また、この前記切替心線用トレイ４を４層トレイとした場合には、Ｎｏ．１〜４までの識別番号を順次付けて配線しやすくしてあるのがよく、しかも、各配線トレイは、内装された際に積層したトレイ間での変形しないように配慮されている。
【００４７】
この場合、トレイ固定ベース３を外して多段に積み重ねられた切替心線用トレイ４の中から所望の切替心線用トレイ４の係止突部をトレイ固定ベース３から外せば、トレイ固定ベース３から引き出せ、各トレイ間の重ね合わせ面を開くことができて、トレイの内面側を露出されて収納心線の点検、修理、接続、切替の各作業が簡便に行うことができる。
【図面の簡単な説明】
【００４８】
【図１】図１は、本発明の実施例の一使用態様を示し、（ａ）はその配線系統図、（ｂ）はクロージャを切断した縦断面図である。
【図２】図２は、図１の例で用いられる単心変換モジュールを搭載したドロップ心線用トレイの平面図である。
【図３】図３は、図２の例で用いられる単心変換モジュールのＦＯモジュールを示し、（ａ）はその平面図、（ｂ）はその正面図である。
【図４】図４は、図２の例で用いられる単心変換モジュールのスプリッタモジュールをを示し、（ａ）はその平面図、（ｂ）はその正面図である。
【図５】図５は、図２の例で用いられるＦＯモジュール取付部を示し、（ａ）はその平面図、（ｂ）はその側面図、（ｃ）はその正面図である。
【図６】図６は、図２の例に用いられる単心変換モジュールに接続されるジャンパコードを示す側面図である。
【図７】図７は、実施例に用いられるＦＯトレイを示し、（ａ）はその平面図、（ｂ）はその蓋を開放した状態の側面図である。
【図８】図８は、実施例に用いられる接続トレイを示し、（ａ）はその平面図、（ｂ）はその背面図、（ｃ）はその正面図である。
【図９】図９は、本発明の他の実施例を示し、（ａ）はその配線系統図、（ｂ）はクロージャの内部を表したを側面図である。
【図１０】図１０は、図９の例の縦断面図である。
【図１１】図１１は、図９の例で用いられるＦＯモジュールを示し、（ａ）はその平面図、（ｂ）はその側面図、（ｃ）は正面図である。
【図１２】図１２は、図９例に用いられる単心変換モジュールで、（ａ）はそのＦＯモジュールの内部を示す平面図、（ｂ）はスプリッタとモジュールの内部を表した平面図である。
【図１３】図１３は、図９の例で用いられるクロージャを示し、（ａ）はその横断面図、（ｂ）はその縦断面図である。
【図１４】図１４は、図１３の例で用いられるトレイ固定ベースを示し、（ａ）はその平面図、（ｂ）はその側面図、（ｃ）はＡ−Ａ線における縦断面図である。
【図１５】図１５は、図１４の例で示すトレイ固定ベースを示で、（ａ）はその背面図、（ｂ）はその側面図である。
【符号の説明】
【００４９】
Ａ    上部側光ケーブル
Ａ１    下部側光ケーブル
Ｂ    ＭＴコネクタ
Ｂ１    ＭＴコネクタ
Ｃ    支持線
１    クロージャ
２    フレーム
３    トレイ固定ベース
３１    取付け棚部
４    切替心線用トレイ
４１    ＦＯモジュール
４２    スプリッタモジュール
５    ＦＯトレイ
５１    蓋
５２    ガイドリブ
５３    心線押え片
５４    接続部収納部
６    接続トレイ
６１    心線余長収納部
６２    心線押え片
６３    心線口
７    ＦＯモジュール取付部
８    ＭＵアダプタ
９    ＭＵコネクタ
１０    ジャンパコード
１１    心線余長収納部
１２    識別表示部
１３    スプリッタ
１４    係止部
１５    心線止め
１６    押え片
１７    スプリッタ収納部
１７１    ガイドリブ
１８    スライド部
１９    ベース凸部
２０    差込部
２１    係止部
２２    差込部
２３    係止部
２４    突片
２５    心線余長収納部
２６    棚部
２７    ケーブル把持部
２８    ドロップケーブル把持部
２９，３０    テンションメンバ把持具
３１    端面板
３２    支持線把持具
３３    湾曲ガイド
３４    配線処理ガイド
３５    スタンド
【図１】
2005315905.tif 000003
【図２】
2005315905.tif 000004
【図３】
2005315905.tif 000005
【図４】
2005315905.tif 000006
【図５】
2005315905.tif 000007
【図６】
2005315905.tif 000008
【図７】
2005315905.tif 000009
【図８】
2005315905.tif 000010
【図９】
2005315905.tif 000011
【図１０】
2005315905.tif 000012
【図１１】
2005315905.tif 000013
【図１２】
2005315905.tif 000014
【図１３】
2005315905.tif 000015
【図１４】
2005315905.tif 000016
【図１５】
2005315905.tif 000017